(57)【要約】【課題】シート、及び薄板形状の被記録部材を支持するトレイが搬送される搬送装置において、トレイによってシートを案内する面が傷つけられることなく、双方を経時的に安定して搬送することができる手段を提供する。【解決手段】プリンタ部１１は、湾曲部３２及び直線部３３が配置された第１搬送路２３と、直線部３３から直線状に延びる第２搬送路２４と、第１搬送路２３と第２搬送路２４との交差位置２６に設けられたフラップ２７と、を具備する。フラップ２７は、第１搬送路２３を向く第１面５１によって記録用紙を案内する第１姿勢と、交差位置２６から第２搬送路２４への経路を開放する第２姿勢と、に姿勢変化される。フラップ２７は、直線部３３から第２搬送路２４へ搬送されるトレイ１６が第１面５１とは非接触になるように、トレイ１６が当接することによって、第１姿勢から第２姿勢へ姿勢変化される。【選択図】図２
2010275092.tif 000002
【特許請求の範囲】
【請求項１】
シートの搬送方向に沿って、シートが湾曲されて案内される湾曲部、及びシートが直線状に延びて案内される直線部が配置された第１経路と、
上記直線部から直線状に延びており、薄板形状の被記録部材を支持するトレイが案内される第２経路と、
上記第１経路と上記第２経路との交差位置に設けられたガイド部材と、を具備し、
上記ガイド部材は、上記第１経路を向く第１面によってシートを案内する第１姿勢と、上記交差位置から上記第２経路への経路を開放する第２姿勢と、に姿勢変化されるものであって、上記第１経路の直線部から上記第２経路へ搬送される上記トレイが、上記ガイド部材の第１面とは非接触となるように、上記ガイド部材と当接することによって、上記第１姿勢から上記第２姿勢へ姿勢変化されるものである搬送装置。
【請求項２】
上記ガイド部材は、軸線周りに回動されることによって上記第１姿勢と上記第２姿勢とに姿勢変化するものであって、
上記第１面を有する本体と、
上記本体から上記軸線へ延出されたアームと、
上記アームに設けられて上記トレイと当接する当接部と、を具備するものである請求項１に記載の搬送装置。
【請求項３】
上記本体は、上記第２経路を搬送されるトレイと接触するローラを有する請求項２に記載の搬送装置。
【請求項４】
上記アームは、上記本体において、上記第１面に案内されて上記湾曲部を搬送されるシートが通過する領域より幅方向の外側に配置されている請求項２又は３に記載の搬送装置。
【請求項５】
上記ガイド部材は、軸線周りに回動されることによって上記第１姿勢と上記第２姿勢とに姿勢変化するものであって、
上記第１面を有する本体と、
上記本体から上記軸線へ延出されたアームと、
上記本体から突出されて上記トレイと当接する当接部と、を具備するものである請求項１に記載の搬送装置。
【請求項６】
上記当接部は、上記本体において、上記第１面に案内されて上記湾曲部を搬送されるシートが通過する領域より幅方向の外側に配置されている請求項５に記載の搬送装置。
【請求項７】
上記ガイド部材は、軸線周りに回動されることによって上記第１姿勢と上記第２姿勢とに姿勢変化するものであって、
上記第１面を有する本体と、
上記本体から上記軸線へ延出されたアームと、
上記本体から突出された突出片と、
上記突出片と接離可能に回動可能であって、上記トレイと当接する当接部を有しており、当該当接部に上記トレイが当接することによって、上記本体を上記軸線周りに回動させる当接部材と、を具備するものである請求項１に記載の搬送装置。
【請求項８】
上記突出片は、上記本体において、上記第１面に案内されて上記湾曲部を搬送されるシートが通過する領域より幅方向の外側に配置されている請求項７に記載の搬送装置。
【請求項９】
上記ガイド部材は、軸線周りに回動されることによって上記第１姿勢と上記第２姿勢とに姿勢変化するものであって、
上記第１面を有しており、上記軸線周りに回動される本体と、
上記本体を上記第１姿勢側から上記第２姿勢側へ回動するように付勢する第１弾性部材と、
上記本体が上記第１姿勢から回動することを制止する第３姿勢、及び上記本体が上記第２姿勢へ回動し得る第４姿勢に回動可能であるロック部材と、
上記ロック部材を上記第４姿勢側から上記第３姿勢側へ回動するように付勢する第２弾性部材と、を具備し、
上記トレイが当接することによって、上記ロック部材が上記第３姿勢から上記第４姿勢へ回動されるものである請求項１に記載の搬送装置。
【請求項１０】
上記ロック部材は、上記第３姿勢において、上記本体と係合するものである請求項９に記載の搬送装置。
【請求項１１】
上記ロック部材は、上記本体に対して、上記第１面に案内されて上記湾曲部を搬送されるシートが通過する領域より幅方向の外側に配置されている請求項９又は１０に記載の搬送装置。
【請求項１２】
請求項１から１１のいずれかに記載の搬送装置と、
上記第１経路の直線部に設けられて、当該直線部を搬送されるシート、又はトレイに支持された被記録部材に画像記録を行う記録部と、を具備する画像記録装置。
【発明の詳細な説明】
【技術分野】
【０００１】
本発明は、シート、及び薄板形状の被記録部材を支持するトレイが搬送される搬送装置、並びに当該搬送装置を備えた画像記録装置に関する。
【背景技術】
【０００２】
画像記録装置は、被記録媒体を搬送して画像記録を行う。インクジェット方式の画像記録装置は、様々な被記録媒体に画像記録を行い得る。インクジェット方式の画像記録装置の被記録媒体として、記録用紙などのシートや、ＣＤやＤＶＤなどの薄板形状の部材が挙げられる。
【０００３】
また、画像記録装置においては、被記録媒体は、搬送路と称される経路を搬送されつつ画像記録が行われる。この搬送路には、Ｕターンパスのように湾曲されたものがある。記録用紙などのシートは、湾曲した搬送路に沿って撓むことが可能である。ＣＤやＤＶＤなどは、定形の記録用紙に対応した搬送路に合致するトレイなどに載置されて、搬送路を搬送されつつ画像記録が行われる。このトレイの搬送路は、直線形状が採用される。このような直線形状の搬送路は、ストレートパスとも称される。
【０００４】
従来より、前述されたような被記録媒体の種類に対応して２種類の搬送路を有し、これら２種類の搬送路の交差位置において姿勢変化可能なガイドが設けられて、当該ガイドによって、それぞれが対応する搬送路に被記録媒体又はトレイが案内される構成が知られている（特許文献１参照）。
【先行技術文献】
【特許文献】
【０００５】
【特許文献１】特開２００５−１４４９３１号公報
【発明の概要】
【発明が解決しようとする課題】
【０００６】
特許文献１に記載されたガイド部材は、記録用紙を案内する面と、ＣＤなどが載置されるトレイを案内する面とが同一である。そのため、記録用紙などと比較して固いトレイが何度もガイド部材の面上を摺動すると、ガイド部材の面が傷つくおそれがある。特に、搬送路が湾曲している形態では、記録用紙に対する摺動摩擦を軽減するために、ＰＯＭに代表されるような摩擦係数が小さな素材が採用されるが、ガイド部材の面が傷つくと、摺動摩擦が大きくなるので、記録用紙が円滑に搬送されないおそれが生じる。
【０００７】
本発明は、前述された事情に鑑みてなされたものであり、その目的は、シート、及び薄板形状の被記録部材を支持するトレイが搬送される搬送装置において、トレイによってシートを案内する面が傷つけられることなく、双方を経時的に安定して搬送することができる手段を提供することにある。
【課題を解決するための手段】
【０００８】
(1)  本発明に係る搬送装置は、シートの搬送方向に沿って、シートが湾曲されて案内される湾曲部、及びシートが直線状に延びて案内される直線部が配置された第１経路と、上記直線部から直線状に延びており、薄板形状の被記録部材を支持するトレイが案内される第２経路と、上記第１経路と上記第２経路との交差位置に設けられたガイド部材と、を具備する。上記ガイド部材は、上記第１経路を向く第１面によってシートを案内する第１姿勢と、上記交差位置から上記第２経路への経路を開放する第２姿勢と、に姿勢変化されるものであって、上記第１経路の直線部から上記第２経路へ搬送される上記トレイが、上記ガイド部材の第１面とは非接触になるように、上記ガイド部材と当接することによって、上記第１姿勢から上記第２姿勢へ姿勢変化される。
【０００９】
シートは、第１経路の湾曲部から直線部へと搬送される。トレイは、第１経路の直線部から第２経路へ搬送される。なお、トレイが搬送される向きは、第１経路から第２経路であっても、第２経路から第１経路であってもよい。シートが搬送されるときには、ガイド部材が第１姿勢にされる。したがって、第１経路を搬送されるシートは、ガイド部材の第１面によって湾曲部から直線部へ案内される。
【００１０】
トレイが搬送されるときには、第１経路の直線部から第２経路との交差位置へ搬送されるトレイがガイド部材の第１面と非接触に当接することによって、ガイド部材が第１姿勢から第２姿勢へ姿勢変化される。これにより、第２経路が開放されて、第１経路の直線部から交差位置へ向かって搬送されるトレイが第２経路へ進入する。なお、本発明において「ガイド部材の第１面と非接触に当接する」とは、ガイド部材を構成する各部のうち、第１面以外のいずれの部分に当接してもよいことを意味する。
【００１１】
(2)  上記ガイド部材として、軸線周りに回動されることによって上記第１姿勢と上記第２姿勢とに姿勢変化するものが挙げられる。このガイド部材は、上記第１面を有する本体と、上記本体から上記軸線へ延出されたアームと、上記アームに設けられて上記トレイと当接する当接部と、を具備する。
【００１２】
(3)  上記本体は、上記第２経路を搬送されるトレイと接触するローラを有するものであってもよい。
【００１３】
第２姿勢のガイド部材により開放された第２経路を搬送されるトレイは、ガイド部材のローラと接触する。さらに搬送されるトレイは、ローラを回転させながらガイド部材に対して摺動する。これにより、第２経路を搬送されるトレイが円滑に搬送される。
【００１４】
(4)  上記アームは、上記本体において、上記第１面に案内されて上記湾曲部を搬送されるシートが通過する領域より幅方向の外側に配置されていてもよい。
【００１５】
これにより、第１経路を搬送されるシートに対してアームが干渉しない。
【００１６】
(5)  上記ガイド部材として、軸線周りに回動されることによって上記第１姿勢と上記第２姿勢とに姿勢変化するものであって、上記第１面を有する本体と、上記本体から上記軸線へ延出されたアームと、上記本体から突出されて上記トレイと当接する当接部と、を具備するものが挙げられる。
【００１７】
(6)  上記当接部は、上記本体において、上記第１面に案内されて上記湾曲部を搬送されるシートが通過する領域より幅方向の外側に配置されていてもよい。
【００１８】
これにより、第１経路を搬送されるシートに対して当接部が干渉しない。
【００１９】
(7)  上記ガイド部材として、軸線周りに回動されることによって上記第１姿勢と上記第２姿勢とに姿勢変化するものであって、上記第１面を有する本体と、上記本体から上記軸線へ延出されたアームと、上記本体から突出された突出片と、上記突出片と接離可能に回動可能であって、上記トレイと当接する当接部を有しており、当該当接部に上記トレイが当接することによって、上記本体を上記軸線周りに回動させる当接部材と、を具備するものが挙げられる。
【００２０】
(8)  上記突出片は、上記本体において、上記第１面に案内されて上記湾曲部を搬送されるシートが通過する領域より幅方向の外側に配置されていてもよい。
【００２１】
これにより、第１経路を搬送されるシートに対して突出片が干渉しない。
【００２２】
(9)  上記ガイド部材として、軸線周りに回動されることによって上記第１姿勢と上記第２姿勢とに姿勢変化するものであって、上記第１面を有しており、上記軸線周りに回動される本体と、上記本体を上記第１姿勢側から上記第２姿勢側へ回動するように付勢する第１弾性部材と、上記本体が上記第１姿勢から回動することを制止する第３姿勢、及び上記本体が上記第２姿勢へ回動し得る第４姿勢に回動可能であるロック部材と、上記ロック部材を上記第４姿勢側から上記第３姿勢側へ回動するように付勢する第２弾性部材と、を具備するものが挙げられる。上記トレイが当接することによって、上記ロック部材が上記第３姿勢から上記第４姿勢へ回動される。
【００２３】
(10)  上記ロック部材は、上記第３姿勢において、上記ガイド部材と係合するものであってもよい。
【００２４】
(11)  上記ロック部材は、上記本体に対して、上記第１面に案内されて上記湾曲部を搬送されるシートが通過する領域より幅方向の外側に配置されていてもよい。
【００２５】
これにより、第１経路を搬送されるシートに対してロック部材が干渉しない。
【００２６】
(12)  本発明は、上記搬送装置と、上記第１経路の直線部に設けられて、当該直線部を搬送されるシート、又はトレイに支持された被記録部材に画像記録を行う記録部と、を具備する画像記録装置として捉えられてもよい。
【発明の効果】
【００２７】
本発明によれば、シートが搬送されるときには、第１姿勢のガイド部材の第１面によってシートが湾曲部から直線部へ案内され、トレイが搬送されるときには、トレイがガイド部材の第１面と非接触に当接してガイド部材を第２姿勢に姿勢変化させて第２経路が開放されるので、トレイによってシートを案内するガイド部材の第１面が傷つけられることなく、シート及びトレイの双方を経時的に安定して搬送することができる。
【図面の簡単な説明】
【００２８】
【図１】本発明の第１実施形態に係る複合機１０の外観斜視図である。
【図２】プリンタ部１１の内部構成を示す縦断面図である。
【図３】フラップ２７の構成を示す斜視図である。
【図４】（Ａ）は、直線部３３をトレイ１６が搬送されている状態を示す縦断面図であり、（Ｂ）は、第２搬送路２４をトレイ１６が搬送されている状態を示す縦断面図である。
【図５】本発明の第２実施形態に係るプリンタ部１１の内部構成を示す縦断面図である。
【図６】フラップ６０の構成を示す斜視図である。
【図７】（Ａ）は、直線部３３をトレイ１６が搬送されている状態を示す縦断面図であり、（Ｂ）は、第２搬送路２４をトレイ１６が搬送されている状態を示す縦断面図である。
【図８】本発明の第３実施形態に係るプリンタ部１１の内部構成を示す縦断面図である。
【図９】フラップ７０の構成を示す斜視図である。
【図１０】本体７２の構成を示す斜視図である。
【図１１】（Ａ）は、直線部３３をトレイ１６が搬送されている状態を示す縦断面図であり、（Ｂ）は、第２搬送路２４をトレイ１６が搬送されている状態を示す縦断面図である。
【図１２】本発明の第４実施形態に係るプリンタ部１１の内部構成を示す縦断面図である。
【図１３】フラップ９０の構成を示す斜視図である。
【図１４】第２面９７側から視たフラップ９０の構成を示す斜視図である。
【図１５】トレイ１６の構成を示す平面図である。
【図１６】（Ａ）は、直線部３３をトレイ１６が搬送されている状態を示す縦断面図であり、（Ｂ）は、第２搬送路２４をトレイ１６が搬送されている状態を示す縦断面図である。
【発明を実施するための形態】
【００２９】
以下、適宜図面が参照されつつ本発明の好ましい実施形態が説明される。なお、以下に説明される実施形態は本発明の一実施形態にすぎず、本発明の要旨を変更しない範囲でこの実施形態が適宜変更されることは言うまでもない。
【００３０】
［第１実施形態］
以下、本発明の第１実施形態に係る複合機１０が説明される。
【００３１】
［複合機１０の概略構成］
図１に示されるように、複合機１０は、下部に設けられたプリンタ部１１と、上部に設けられたスキャナ部１２と、正面上部に設けられた操作パネル１４とを備えている。なお、本実施形態においては、矢印１０１で示される方向が複合機１０の幅方向であり、矢印１０２で示される方向が複合機１０の高さ方向であり、矢印１０３で示される方向が複合機１０の奥行き方向である。また、図１においては、トレイ１６が挿入される状態の複合機１０が示されている。
【００３２】
複合機１０は、プリント機能、スキャン機能、ファクシミリ機能及びコピー機能などの各種の機能を有している。プリント機能は、プリンタ部１１によって発揮される。このプリンタ部１１は、インクジェット方式によって画像記録を行う。複合機１０の特徴とするところは、記録用紙及びトレイ１６をフラップ２７によって安定して案内できる点にある。なお、複合機１０においてプリント機能以外の機能は任意であり、例えば、スキャン機能やコピー機能、ファクシミリ機能を有しないプリント機能のみを有するプリンタとして本発明の画像記録装置が実施されてもよい。
【００３３】
プリンタ部１１の正面に開口１３が形成されている。この開口１３の内部に給紙カセット２０が着脱可能に設けられている。給紙カセット２０の詳細な構成については後述されるが、給紙カセット２０に装填された記録用紙が、後述される搬送機構によってプリンタ部１１内を搬送される。この搬送過程において、記録用紙に画像記録が行われる。
【００３４】
スキャナ部１２は、いわゆるフラットベッドスキャナとして構成されているが、スキャナ部１２の構成は、本発明に直接に関係しないので、ここでは詳細な説明が省略される。
【００３５】
操作パネル１４は、プリンタ部１１やスキャナ部１２を操作するためのものであって、各種操作ボタンや液晶表示部を備えている。ユーザは、操作パネル１４を操作することにより各種機能の設定や動作を実行することができる。例えば、ユーザは、記録用紙に画像記録を行うか、トレイ１６に保持されたコンパクトディスク１７（以下、「ＣＤ１７」と略される。）に画像記録を行うかのモード設定などを操作パネル１４への入力によって複合機１０に指示することができる。ＣＤ１７は、本発明における被記録部材の一例である。記録用紙は、本発明におけるシートの一例である。
【００３６】
［プリンタ部１１の内部構成］
図２に示されるように、プリンタ部１１は、給紙カセット２０と、給紙カセット２０から給送された記録用紙が搬送される第１搬送路２３と、トレイ１６が搬送される第２搬送路２４と、第１搬送路２３に設けられた記録部２５と、交差位置２６に設けられたフラップ２７と、を備えている。第１搬送路２３、第２搬送路２４及びフラップ２７によって、本発明に係る搬送装置が構成されている。第１搬送路２３が、本発明における第１経路に相当し、第２搬送路２４が、本発明における第２経路に相当する。また、フラップ２７が本発明におけるガイド部材に相当する。
【００３７】
記録用紙は、第１搬送路２３を搬送される。トレイ１６は、第１搬送路２３から第２搬送路２４へ搬送される。記録用紙が搬送されるときには、フラップ２７が第１姿勢に保持されている。したがって、第１搬送路２３を搬送される記録用紙は、フラップ２７の第１面５１によって第１搬送路２３に沿って案内される。トレイ１６が搬送されるときには、フラップ２７が第２姿勢に姿勢変化される。これにより、第１搬送路２３から交差位置２６を通じて第２搬送路２４へトレイ１６が進入可能となる。
【００３８】
［給紙カセット２０］
給紙カセット２０は、プリンタ部１１の底側に配置されている。給紙カセット２０は、上面の一部が開口された矩形の箱状である。給紙カセット２０の内部空間２１には、複数枚の記録用紙が積層された状態に載置される。給紙カセット２０に積載された記録用紙は、給紙ローラ３０によって第１搬送路２３に給送される。
【００３９】
排紙トレイ２２は、給紙カセット２０の上面の一部として構成されている。第１搬送路２３から排出された記録用紙は、排紙トレイ２２に積載される。
【００４０】
［第１搬送路２３］
図２に示されるように、第１搬送路２３は、記録用紙が湾曲されて案内される湾曲部３２と、記録用紙が直線状に延びて案内される直線部３３とを有する。湾曲部３２は、給紙カセット２０の奥側から上方へ向かって延びながら装置正面側（図２における右側）へ湾曲している。直線部３３は、湾曲部３２から装置正面側へ向かって排紙トレイ２２付近まで直線状に延びている。記録用紙は給紙カセット２０から湾曲部３２及び直線部３３へ順次搬送される。つまり、湾曲部３２及び直線部３３は、記録用紙が搬送される向きに沿って順に連続して配置されている。この湾曲部３２及び直線部３３によって、第１搬送路２３は、いわゆるＵターンパスを形成している。
【００４１】
湾曲部３２は、後述される第２搬送路２４と交差する交差位置２６以外では、外側ガイド面と内側ガイド面とによって区画形成されている。なお、図２においては、外側ガイド面及び内側ガイド面を構成する各ガイド部材が省略されている。
【００４２】
［第２搬送路２４］
図２に示されるように、第２搬送路２４は、第１搬送路２３の直線部３３から装置奥側へ直線状に延びている。第２搬送路２４も、交差位置２６以外では、外側ガイド面と内側ガイド面とによって区画形成されているが、図２においては、外側ガイド面及び内側ガイド面を構成する各ガイド部材が省略されている。第２搬送路２４は、第１搬送路２３と交差しており、この交差する位置が交差位置２６と称される。第２搬送路２４は、トレイ１６が案内される経路である。
【００４３】
［搬送機構］
図２に示されるように、給紙ローラ３０は、アーム３１の先端に回転自在に軸支されている。給紙ローラ３０は、アーム３１の回動によって給紙カセット２０の内部空間２１へ進入して、内部空間２１に積載された最上位置の記録用紙と接触する。給紙ローラ３０は、図示されていないモータから駆動伝達されて回転される。給紙ローラ３０が給紙カセット２０の記録用紙に圧接された状態で給紙ローラ３０が回転されると、給紙ローラ３０との摩擦力によって、最上位置の記録用紙が第１搬送路２３へ給送される。
【００４４】
第１搬送路２３の直線部３３には、搬送ローラ４１及びピンチローラ４２が設けられている。搬送ローラ４１及びピンチローラ４２は、記録用紙の搬送向きにおいて記録部２５より上流側に配置されている。搬送ローラ４１及びピンチローラ４２は対をなしている。ピンチローラ４２は、搬送ローラ４１に対して接離可能であって、搬送ローラ４１に圧接するようにバネ付勢されている。搬送ローラ４１は、図示されていないモータから駆動伝達されて回転される。搬送ローラ４１及びピンチローラ４２に挟持された記録用紙は、搬送ローラ４１の回転を受けて記録部２５へ向かって搬送される。
【００４５】
第１搬送路２３の直線部３３には、排紙ローラ４３及び拍車４４が設けられている。排紙ローラ４３及び拍車４４は、記録用紙の搬送向きにおいて記録部２５より下流側に配置されている。排紙ローラ４３及び拍車４４は対をなしている。拍車４４は、排紙ローラ４３に対して接離可能であって、排紙ローラ４３に圧接するようにバネ付勢されている。排紙ローラ４３は、図示されていないモータから駆動伝達されて回転される。排紙ローラ４３の回転は搬送ローラ４１の回転と同期されている。排紙ローラ４３及び拍車４４に挟持された記録用紙は、排紙ローラ４３の回転を受けて排紙トレイ２２へ向かって搬送される。
【００４６】
［記録部２５］
図２に示されるように、記録部２５は、第１搬送路２３の直線部３３に配置されており、キャリッジ４６及びプラテン４７を備えている。キャリッジ４６は、直線部３３を挟んでプラテン４７の上側に配置されている。キャリッジ４６には、記録ヘッド４８が搭載されている。同図には現れていないが、記録ヘッド４８は、インク滴を吐出するノズルを有している。このノズルの開口がプラテン４７側へ露出された状態で、記録ヘッド４８がキャリッジ４６に搭載されている。キャリッジ４６は、図示されていないモータから駆動伝達されて、記録ヘッド４８とともに幅方向１０１（図２において紙面に垂直な方向）へ往復移動する。キャリッジ４６が移動されながら、記録ヘッド４８から微小なインク滴がプラテン４７上の記録用紙へ向かって選択的に吐出される。吐出されたインク滴が記録用紙又はＣＤ１７に着弾することによって、記録用紙又はＣＤ１７に画像が記録される。なお、インクは、図示されていないインクカートリッジから記録ヘッド４８へ供給される。
【００４７】
［フラップ２７］
図２に示されるように、第１搬送路２３と第２搬送路２４との交差位置２６にはフラップ２７が設けられている。このフラップ２７は、図２に示されるように、第１搬送路２３を向く第１面５１によって記録用紙を案内する第１姿勢と、図４（Ｂ）に示されるように第２搬送路２４を開放する第２姿勢とに姿勢変化する。図２に示されるように、第１姿勢のフラップ２７は、上側へ回動された状態であり、第１面５１が第１搬送路２３の湾曲部３２における外側ガイド面の一部を構成する。図４（Ｂ）に示されるように、第２姿勢のフラップ２７は、下側へ回動された状態である。フラップ２７は、後述されるように、第１搬送路２３の直線部３３から第２搬送路２４へ搬送されるトレイ１６が、フラップ２７の第１面５１と非接触に当接することによって、第１姿勢から第２姿勢へ姿勢変化される。
【００４８】
図３に示されるように、フラップ２７は、第１面５１を有する本体５０と、本体５０から軸線１０５へ向かって延出されたアーム５２，５３と、アーム５２，５３に設けられてトレイ１６と当接する当接部５４，５５とを有する。
【００４９】
図３に示されるように、本体５０は、幅方向１０１に長尺であって、かつ搬送向き１０４に沿って湾曲した板形状である。この湾曲は、第１搬送路２３の湾曲部３２における外側の湾曲形状に沿っており、本体５０の湾曲内側の面が第１面５１であり、湾曲外側の面が第２面５６である。本体５０の幅方向１０１の長さは、搬送可能な記録用紙の最大幅より幅広であり、かつトレイ１６の幅より若干狭い。なお、第１面５１には、搬送方向１０４に沿って延びる背の低いリブが形成されていてもよい。
【００５０】
フラップ２７の幅方向１０１の両端には、アーム５２，５３が幅方向１０１と直交する湾曲内向きに沿って突出されている。アーム５２，５３は、本体５０側が幅広な扇型であり、その突出先端に、幅方向１０１に貫通する軸孔５７，５８がそれぞれ形成されている。軸孔５７，５８は、軸線１０５上に配置されている。この軸孔５７，５８が、図示されていないフレームに軸支されて、フラップ２７が軸線１０５周りに回動可能であり、この回動によってフラップ２７が第１姿勢と第２姿勢とに姿勢変化する。なお、図には示されていないが、フラップ２７は、支持されているフレームなどに当接されることによって、その回動範囲が第１姿勢と第２姿勢との間に制限されている。また、各図には現れていないが、軸孔５７，５８周りにはネジリコイルバネがそれぞれ設けられており、このネジリコイルバネによって、フラップ２７は、第１姿勢側へ弾性付勢されている。
【００５１】
アーム５２，５３における搬送向き１０４の下流側には、当接部５４，５５がそれぞれ設けられている。当接部５４，５５は、アーム５２，５３の端から搬送向き１０４に沿って突出する片であり、その突出先端は、本体５０の第１面５１より搬送向き１０４に突出している。この当接部５４，５５にトレイ１６が当接することによって、フラップ２７が第１姿勢から第２姿勢へ姿勢変化される。なお、前述されたように、本体５０の幅方向１０１の長さは、搬送可能な記録用紙の最大幅より幅広なので、アーム５２，５３は、本体５０において、第１面５１に案内されて湾曲部３２を搬送される記録用紙が通過する領域より幅方向１０１の外側に配置されている。したがって、湾曲部３２を搬送される記録用紙が、当接部５４，５５に当接することはない。
【００５２】
本体５０における搬送向き１０４の下流側には、複数のローラ５９が設けられている。このローラ５９は、幅方向１０１に沿った方向を軸線方向として、本体５０に回転可能に設けられている。複数のローラ５９は、幅方向１０１に沿って所定の間隔で直列に配置されている。各ローラ５９は、フラップ２７が第２姿勢とされた状態において、第２搬送路２４を搬送されるトレイ１６と接触して回転する。これにより、本体５０とトレイ１６との摺動抵抗が軽減される。
【００５３】
［記録用紙への画像記録］
前述されたように、フラップ２７は、外力を受けなければ、コイルバネに付勢されて第１姿勢に維持される。画像記録開始の指令を受けると、図示されていないモータの回転を受けて給紙ローラ３０、中間ローラ４１、搬送ローラ４１及び排紙ローラ４３が所定のタイミングで回転されて、給紙カセット２０から第１搬送路２３へ記録用紙が給送される。第１搬送路２３の湾曲部３２を搬送される記録用紙の先端が交差位置２６へ到達すると、記録用紙の先端は、第１姿勢のフラップ２７の第１面５１に案内されて直線部３３へ進入する。直線部３３において搬送ローラ４１及びピンチローラに挟持された記録用紙は、プラテン４７上へ搬送される。プラテン４７上に記録用紙が搬送されると、搬送ローラ４１が間欠して回転される。搬送ローラ４１が停止されている間に、キャリッジ４６が幅方向１０１へ往復移動され、その往復移動の間に記録ヘッド４８からプラテン４７上の記録用紙へインク滴が選択的に吐出される。このような搬送ローラ４１の間欠した回転とキャリッジの往復移動が繰り返されることによって、記録用紙の所望の位置に所望の画像が記録される。画像記録が行われた記録用紙は、排紙ローラ４３及び拍車４４に挟持されて、排紙トレイ２２上へ排出される。
【００５４】
［ＣＤ１７への画像記録］
図１に示されるように、ＣＤ１７は、予めトレイ１６に載置される。トレイ１６は、ＣＤ１７より大きな平板であり、その上面にトレイ１６が嵌め込まれる凹嵌が形成されている。この凹嵌にＣＤ１７が嵌め込まれることによって、トレイ１６にＣＤ１７が固定される。この固定状態において、ＣＤ１７の上面は露出されている。なお、図４においては、給紙ローラ３０及びアーム３１が省略されている。
【００５５】
画像記録開始の指令を受けると、図示されていないモータの回転を受けて搬送ローラ４１及び排紙ローラ４３が所定のタイミングで回転される。図１に示されるように、トレイ１６は、装置の正面側の開口１３から第１搬送路２３の直線部２４へ挿入されるので、搬送ローラ４１及び排紙ローラ４３が回転される向きは、記録用紙が搬送される向きと逆向きである。図４（Ａ）に示されるように、第１搬送路２３の直線部２４に挿入されたトレイ１６は、排紙ローラ４３及び拍車４４に挟持されて、プラテン４７上へ搬送され、続いて搬送ローラ４１及びピンチローラに挟持されて装置正面側から背面側（図４における左側）へ搬送される。つまり、搬送向き１０４と反対向きにトレイ１６が搬送される。
【００５６】
トレイ１６の先端（図４における左端）が交差位置２６へ到達すると、トレイ１６の先端は、第１姿勢のフラップ２７の当接部５４，５５に当接する。さらに、トレイ１６が装置背面側へ搬送されると、当接部５４，５５と当接しているトレイ１６によって、フラップ２７が装置背面側へ押される。これにより、ネジリコイルバネの付勢に抗して、第１姿勢のフラップ２７が第２姿勢に姿勢変化される。フラップ２７が第２姿勢となると、第１搬送路２３の直線部３３から第２搬送路２４へ続く直線経路から、フラップ２７の本体５０が外れる。つまり、第２搬送路２４への経路が開放される。これにより、図４（Ｂ）に示されるように、装置背面側へ搬送されるトレイ１６が交差位置２６から第２搬送路２４へ進入する。
【００５７】
そして、トレイ１６に載置されたＣＤ１７の印刷領域の後端（図４における右端）が、記録ヘッド４８の直下を通過すると、搬送ローラ４１及び排紙ローラ４３が停止されて逆転される。これにより、トレイ１６は、先端と後端とが逆転して、装置背面側から装置正面側（図４における右側）へ搬送される。つまり、搬送向き１０４にトレイ１６が搬送される。トレイ１６に載置されたＣＤ１７が記録ヘッド４８の直下へ搬送されると、搬送ローラ４１が間欠して回転される。搬送ローラ４１が停止されている間に、キャリッジ４６が幅方向１０１へ往復移動され、その往復移動の間に記録ヘッド４８からトレイ１６上のＣＤ１７へインク滴が選択的に吐出される。このような搬送ローラ４１の間欠した回転とキャリッジの往復移動が繰り返されることによって、ＣＤ１７の所望の位置に所望の画像が記録される。画像記録が行われたＣＤ１７は、トレイ１６に載置された状態で、装置正面側へ排出される。トレイ１６が装置正面側へ排出されてフラップ２７の当接部５４，５５から離れると、ネジリコイルバネに付勢されたフラップ２７が第１姿勢に復帰する。
【００５８】
［本実施形態の作用効果］
前述されたように、本実施形態に係る複合機１０によれば、記録用紙が搬送されるときには、第１姿勢のフラップ２７の第１面５１によって記録用紙が湾曲部３２から直線部３３へ案内され、トレイ１６が搬送されるときには、トレイ１６がフラップ２７の当接部５４，５５に当接し、第１面５１と接触することなくフラップ２７を第２姿勢に姿勢変化させて第２搬送路２４が開放されるので、トレイ１６によって第１面５１が傷つけられることなく、記録用紙及びトレイ１６の双方を経時的に安定して搬送することができる。
【００５９】
また、フラップ２７の本体５０にローラ５９が設けられ、第２姿勢のフラップ２７により開放された第２搬送路２４を搬送されるトレイ１６が、ローラ５９を回転させながら本体５０に対して摺動されるので、トレイ１６の搬送が円滑となる。
【００６０】
また、フラップ２７のアーム５２，５３は、本体５０において、記録用紙が通過する領域より幅方向１０１の外側に配置されているので、第１搬送路２３を搬送される記録用紙がアーム５２，５３に当接することがない。
【００６１】
［第２実施形態］
以下、本発明の第２実施形態が説明される。第２実施形態は、第１実施形態に係る複合機１０において、フラップ２７に代えてフラップ６０が設けられている点において構成が異なる。したがって、以下には、主として第１実施形態と異なるフラップ６０の構成が詳細に説明され、第１実施形態と同様の構成については詳細な説明が省略される。また、第１実施形態と同じ参照符号で示される部材は、第１実施形態と同一の部材を示している。なお、図５及び図７においては、給紙ローラ３０及びアーム３１が省略されている。
【００６２】
［フラップ６０］
図５に示されるように、第１搬送路２３と第２搬送路２４との交差位置２６にはフラップ６０が設けられている。このフラップ６０は、図５に示されるように、第１搬送路２３を向く第１面６１によって記録用紙を案内する第１姿勢と、図７（Ｂ）に示されるように第２搬送路２４を開放する第２姿勢とに姿勢変化する。図５に示されるように、第１姿勢のフラップ６０は、下側へ回動された状態であり、第１面６１が第１搬送路２３の湾曲部３２における外側ガイド面の一部を構成する。図７（Ｂ）に示されるように、第２姿勢のフラップ６０は、上側へ回動された状態である。フラップ６０は、後述されるように、第１搬送路２３の直線部３３から第２搬送路２４へ搬送されるトレイ１６が、フラップ６０の第１面６１と非接触に当接することによって、第１姿勢から第２姿勢へ姿勢変化される。
【００６３】
図６に示されるように、フラップ６０は、第１面６１を有する本体６２と、本体６２から軸線１０６へ向かって延出されたアーム６３，６４と、アーム６３，６４に一体に設けられて本体６２から突出する当接部６５，６６とを有する。
【００６４】
図６に示されるように、本体６２は、幅方向１０１に長尺であって、かつ搬送向き１０４に沿って湾曲した板形状である。この湾曲は、第１搬送路２３の湾曲部３２における外側の湾曲形状に沿っており、本体６２の湾曲内側の面が第１面６１であり、湾曲外側の面が第２面６７である。本体６２の幅方向１０１の長さは、搬送可能な記録用紙の最大幅より幅広であり、かつトレイ１６の幅より若干狭い。なお、第１面６１には、搬送方向１０４に沿って延びる背の低いリブが形成されていてもよい。
【００６５】
フラップ６０の幅方向１０１の両端には、アーム６３，６４が幅方向１０１と直交する湾曲外向きに沿って突出されている。アーム６３，６４は棒材であり、その突出先端に、幅方向１０１に沿って内側へ突出する軸６８，６９がそれぞれ形成されている。軸６８，６９は、軸線１０６上に配置されている。この軸６８，６９が、図示されていないフレームに軸支されて、フラップ６０が軸線１０６周りに回動可能であり、この回動によってフラップ６０が第１姿勢と第２姿勢とに姿勢変化する。なお、図には示されていないが、フラップ６０は、支持されているフレームなどに当接されることによって、その回動範囲が第１姿勢と第２姿勢との間に制限されている。また、各図には現れていないが、軸６８，６９周りにはネジリコイルバネがそれぞれ設けられており、このネジリコイルバネによって、フラップ６０は、第１姿勢側へ弾性付勢されている。
【００６６】
アーム６３，６４は、幅方向１０１と直交する湾曲内向きにも突出されており、この湾曲内向きに突出するアーム６３，６４の一部分によって、当接部６５，６６がそれぞれ構成されている。当接部６５，６６は、本体６２の第１面における搬送向き１０４において下流側端と同じ位置に配置されている。この当接部６５，６６にトレイ１６が当接することによって、フラップ６０が第１姿勢から第２姿勢へ姿勢変化される。なお、前述されたように、本体６２の幅方向１０１の長さは、搬送可能な記録用紙の最大幅より幅広なので、アーム６３，６４は、本体６２において、第１面６１に案内されて湾曲部３２を搬送される記録用紙が通過する領域より幅方向１０１の外側に配置されている。したがって、湾曲部３２を搬送される記録用紙が、当接部６５，６６に当接することはない。
【００６７】
［記録用紙への画像記録］
前述されたように、フラップ６０は、外力を受けなければ、コイルバネに付勢されて第１姿勢に維持される。記録用紙への画像記録においては、フラップ６０は、常時、第１姿勢に維持された状態にある。このときのプリンタ部１１における記録用紙への画像記録動作は、第１実施形態と同様であるので、詳細な説明が省略される。
【００６８】
［ＣＤ１７への画像記録］
第１実施形態と同様に、ＣＤ１７は、予めトレイ１６に載置される。画像記録開始の指令を受けると、図示されていないモータの回転を受けて搬送ローラ４１及び排紙ローラ４３が所定のタイミングで回転される。図７（Ａ）に示されるように、第１搬送路２３の直線部２４に挿入されたトレイ１６は、排紙ローラ４３及び拍車４４に挟持されて、プラテン４７上へ搬送され、続いて搬送ローラ４１及びピンチローラに挟持されて装置正面側から背面側（図７における左側）へ搬送される。つまり、搬送向き１０４と逆向きに搬送される。
【００６９】
トレイ１６の先端（図７における左端）が交差位置２６へ到達すると、トレイ１６の先端は、第１姿勢のフラップ６０の当接部６５，６６に当接する。さらに、トレイ１６が装置背面側へ搬送されると、当接部６５，６６と当接しているトレイ１６によって、フラップ６０が装置背面側へ押される。これにより、ネジリコイルバネの付勢に抗して、第１姿勢のフラップ６０が第２姿勢に姿勢変化される。フラップ６０が第２姿勢となると、第１搬送路２３の直線部３３から第２搬送路２４へ続く直線経路から、フラップ６０の本体６２が外れる。つまり、第２搬送路２４への経路が開放される。これにより、図７（Ｂ）に示されるように、装置背面側へ搬送されるトレイ１６が交差位置２６から第２搬送路２４へ進入する。
【００７０】
そして、トレイ１６に載置されたＣＤ１７の印刷領域の後端（図７における右端）が、記録ヘッド４８の直下を通過すると、搬送ローラ４１及び排紙ローラ４３が停止されて逆転される。これにより、トレイ１６は、先端と後端とが逆転して、装置背面側から装置正面側（図７における右側）へ搬送される。つまり、搬送向き１０４へトレイ１６が搬送される。トレイ１６に載置されたＣＤ１７が記録ヘッド４８の直下へ搬送されると、搬送ローラ４１が間欠して回転される。搬送ローラ４１が停止されている間に、キャリッジ４６が幅方向１０１へ往復移動され、その往復移動の間に記録ヘッド４８からトレイ１６上のＣＤ１７へインク滴が選択的に吐出される。このような搬送ローラ４１の間欠した回転とキャリッジの往復移動が繰り返されることによって、ＣＤ１７の所望の位置に所望の画像が記録される。画像記録が行われたＣＤ１７は、トレイ１６に載置された状態で、装置正面側へ排出される。トレイ１６が装置正面側へ排出されてフラップ６０の当接部６５，６６から離れると、ネジリコイルバネに付勢されたフラップ６０が第１姿勢に復帰する。
【００７１】
前述されたような第２実施形態に係るフラップ６０が採用されても、第１実施形態と同様の作用効果が奏される。
【００７２】
［第３実施形態］
以下、本発明の第３実施形態が説明される。第３実施形態は、第１実施形態に係る複合機１０において、フラップ２７に代えてフラップ７０が設けられている点において構成が異なる。したがって、以下には、主として第１実施形態と異なるフラップ７０の構成が詳細に説明され、第１実施形態と同様の構成については詳細な説明が省略される。また、第１実施形態と同じ参照符号で示される部材は、第１実施形態と同一の部材を示している。なお、図８及び図１１においては、給紙ローラ３０及びアーム３１が省略されている。
【００７３】
［フラップ７０］
図８に示されるように、第１搬送路２３と第２搬送路２４との交差位置２６にはフラップ７０が設けられている。このフラップ７０は、図８に示されるように、第１搬送路２３を向く第１面６１によって記録用紙を案内する第１姿勢と、図１１（Ｂ）に示されるように第２搬送路２４を開放する第２姿勢とに姿勢変化する。図８に示されるように、第１姿勢のフラップ７０は、上側へ回動された状態であり、第１面７１が第１搬送路２３の湾曲部３２における外側ガイド面の一部を構成する。図１１（Ｂ）に示されるように、第２姿勢のフラップ７０は、下側へ回動された状態である。フラップ７０は、後述されるように、第１搬送路２３の直線部３３から第２搬送路２４へ搬送されるトレイ１６が、フラップ７０の第１面７１と非接触に当接することによって、第１姿勢から第２姿勢へ姿勢変化される。
【００７４】
図９に示されるように、フラップ７０は、第１面７１を有する本体７２と、本体７２から軸線１０７へ向かって延出されたアーム７３，７４と、アーム７３，７４から軸線１０７に沿って突出する軸７５，７６と、本体７２から搬送向き１０４に沿って突出された突出片７７，７８と、突出片７７，７８と接離可能に回動可能であって、トレイ１６と当接する当接部８０，８１を有しており、当接部８０，８１にトレイ１６が当接することによって、本体７２を軸線１０７周りに回動させる当接部材８２，８３と、を有する。
【００７５】
図１０に示されるように、本体７２は、幅方向１０１に長尺であって、かつ搬送向き１０４に沿って湾曲した板形状である。この湾曲は、第１搬送路２３の湾曲部３２における外側の湾曲形状に沿っており、本体７２の湾曲内側の面が第１面７１であり、湾曲外側の面が第２面７９である。本体７２の幅方向１０１の長さは、搬送可能な記録用紙の最大幅より幅広であり、かつトレイ１６の幅より若干狭い。なお、第１面７１には、搬送方向１０４に沿って延びる背の低いリブが形成されていてもよい。
【００７６】
本体７２の幅方向１０１の両端には、アーム７３，７４が幅方向１０１と直交する湾曲外向きに沿って突出されている。アーム７３，７４は平板形状であり、その突出先端に、幅方向１０１に沿って内側へ突出する軸７５，７６がそれぞれ形成されている。軸７５，７６は、軸線１０７上に配置されている。この軸７５，７６が、図示されていないフレームに軸支されて、フラップ７０が軸線１０７周りに回動可能であり、この回動によってフラップ７０が第１姿勢と第２姿勢とに姿勢変化する。なお、図には示されていないが、フラップ７０は、支持されているフレームなどに当接されることによって、その回動範囲が第１姿勢と第２姿勢との間に制限されている。また、各図には現れていないが、軸７５，７６周りにはネジリコイルバネがそれぞれ設けられており、このネジリコイルバネによって、フラップ７０は、第１姿勢側へ弾性付勢されている。
【００７７】
本体７２の搬送向き１０４の一端には、幅方向１０１の両端から搬送向き１０４に沿って突出片７７，７８が突出されている。この突出片７７，７８が突出する向きは、搬送ローラ４１へ向かっている。この突出片７７，７８に、当接部材８２，８３が当接される。
【００７８】
図９に示されるように、当接部材８２，８３は、突出片７７，７８に対応して幅方向１０１に離間して配置されている。突出片８２，８３は、棒状の部材であり、突出片７７，７８が突出する向きに延出されて、その延出端が突出片７７，７８に当接されている。当接部材８２，８３において突出片７７，７８と当接しない側の端部は軸部８４，８５であり、各当接部材８２，８３は、この軸部８４，８５を中心として回動可能である。つまり、各当接部材８２，８３は、軸部８４，８５から搬送向き１０４と逆向きに延出され、その延出端側を自由端として軸部８４，８５周りに回動可能である。各図には現れていないが、軸部８４，８５周りにはネジリコイルバネがそれぞれ設けられており、このネジリコイルバネによって、当接部材８２，８３は、突出片７７，７８と当接する回動方向へ弾性付勢されている。このネジリコイルバネの付勢力は、本体７２を第１姿勢側に付勢するネジリコイルバネの付勢力より弱い。したがって、当接部材８２，８３のみが突出片７７，７８と当接することによって、本体７２が第２姿勢側へ回動されることはない。
【００７９】
当接部材８２，８３の長手方向のほぼ中央付近には、当接部８０，８１がそれぞれ設けられている。当接部８０，８１は、上方に山形に突出する三角形の平板である。この当接部８０，８１の端面であって、搬送ローラ４１側を向く面８６，８７に、トレイ１６が当接し得る。この当接部８０，８１にトレイ１６が当接することによって、当接部材８２，８３及び本体７２をそれぞれ付勢するネジリコイルバネの付勢に抗して、当接部材８２，８３が軸部８４，８５を中心として下側へ回動され、その回動に伴って、本体７２が第１姿勢から第２姿勢へ姿勢変化される。なお、前述されたように、本体７２の幅方向１０１の長さは、搬送可能な記録用紙の最大幅より幅広なので、本体７２の突出片７７，７８及び当接部材８２，８３は、本体７２の第１面７１に案内されて湾曲部３２を搬送される記録用紙が通過する領域より幅方向１０１の外側に配置されている。したがって、湾曲部３２を搬送される記録用紙が、突出片７７，７８及び当接部材８２，８３に当接することはない。
【００８０】
［記録用紙への画像記録］
前述されたように、フラップ７０は、外力を受けなければ、コイルバネに付勢されて第１姿勢に維持される。記録用紙への画像記録においては、フラップ７０は、常時、第１姿勢に維持された状態にある。このときのプリンタ部１１における記録用紙への画像記録動作は、第１実施形態と同様であるので、詳細な説明が省略される。
【００８１】
［ＣＤ１７への画像記録］
第１実施形態と同様に、ＣＤ１７は、予めトレイ１６に載置される。画像記録開始の指令を受けると、図示されていないモータの回転を受けて搬送ローラ４１及び排紙ローラ４３が所定のタイミングで回転される。図１１（Ａ）に示されるように、第１搬送路２３の直線部２４に挿入されたトレイ１６は、排紙ローラ４３及び拍車４４に挟持されて、プラテン４７上へ搬送され、続いて搬送ローラ４１及びピンチローラに挟持されて装置正面側から背面側（図１１における左側）へ搬送される。つまり、搬送向き１０４と逆向きに搬送される。
【００８２】
トレイ１６の先端（図１１における左端）が交差位置２６へ到達すると、トレイ１６の先端は、当接部材８２，８３の当接部８０，８１の面８６，８７に当接する。さらに、トレイ１６が装置背面側へ搬送されると、当接部８０，８１と当接しているトレイ１６によって、当接部材８２，８３が回動され、かつ本体７２が下側へ押し込まれる。これにより、ネジリコイルバネの付勢に抗して、第１姿勢の本体７２が第２姿勢に姿勢変化される。本体７２が第２姿勢となると、第１搬送路２３の直線部３３から第２搬送路２４へ続く直線経路から、本体７２が外れる。つまり、第２搬送路２４への経路が開放される。これにより、図１１（Ｂ）に示されるように、装置背面側へ搬送されるトレイ１６が交差位置２６から第２搬送路２４へ進入する。
【００８３】
そして、トレイ１６に載置されたＣＤ１７の印刷領域の後端（図１１における右端）が、記録ヘッド４８の直下を通過すると、搬送ローラ４１及び排紙ローラ４３が停止されて逆転される。これにより、トレイ１６は、先端と後端とが逆転して、装置背面側から装置正面側（図１１における右側）へ搬送される。つまり、搬送向き１０４にトレイ１６が搬送される。トレイ１６に載置されたＣＤ１７が記録ヘッド４８の直下へ搬送されると、搬送ローラ４１が間欠して回転される。搬送ローラ４１が停止されている間に、キャリッジ４６が幅方向１０１へ往復移動され、その往復移動の間に記録ヘッド４８からトレイ１６上のＣＤ１７へインク滴が選択的に吐出される。このような搬送ローラ４１の間欠した回転とキャリッジの往復移動が繰り返されることによって、ＣＤ１７の所望の位置に所望の画像が記録される。画像記録が行われたＣＤ１７は、トレイ１６に載置された状態で、装置正面側へ排出される。トレイ１６が装置正面側へ排出されて当接部材８２，８３の当接部８０，８１から離れると、ネジリコイルバネに付勢された本体７２が第１姿勢に復帰する。
【００８４】
前述されたような第３実施形態に係るフラップ７０が採用されても、第１実施形態と同様の作用効果が奏される。
【００８５】
［第４実施形態］
以下、本発明の第４実施形態が説明される。第４実施形態は、第１実施形態に係る複合機１０において、フラップ２７に代えてフラップ９０が設けられている点において構成が異なる。したがって、以下には、主として第１実施形態と異なるフラップ９０の構成が詳細に説明され、第１実施形態と同様の構成については詳細な説明が省略される。また、第１実施形態と同じ参照符号で示される部材は、第１実施形態と同一の部材を示している。なお、図１２及び図１６においては、給紙ローラ３０及びアーム３１が省略されている。
【００８６】
［フラップ９０］
図１２に示されるように、第１搬送路２３と第２搬送路２４との交差位置２６にはフラップ９０が設けられている。このフラップ９０は、図１２に示されるように、第１搬送路２３を向く第１面９１によって記録用紙を案内する第１姿勢と、図１６（Ｂ）に示されるように第２搬送路２４を開放する第２姿勢とに姿勢変化する。図１２に示されるように、第１姿勢のフラップ９０は、下側へ回動された状態であり、第１面９１が第１搬送路２３の湾曲部３２における外側ガイド面の一部を構成する。図１６（Ｂ）に示されるように、第２姿勢のフラップ９０は、上側へ回動された状態である。フラップ９０は、後述されるように、第１搬送路２３の直線部３３から第２搬送路２４へ搬送されるトレイ１６が、フラップ９０の第１面９１と非接触に当接することによって、第１姿勢から第２姿勢へ姿勢変化される。
【００８７】
図１３，１４に示されるように、フラップ９０は、第１面９１を有する本体９２と、本体９２から軸線１０８に沿って突出する軸９３，９４と、本体７２から膨出された当接部９５，９６と、当接部９５，９６と接離する方向に回動可能なストッパ１１１，１１２とを有する。
【００８８】
図１３，１４に示されるように、本体９２は、幅方向１０１に長尺であって、かつ搬送向き１０４に沿って湾曲した板形状である。この湾曲は、第１搬送路２３の湾曲部３２における外側の湾曲形状に沿っており、本体９２の湾曲内側の面が第１面９１であり、湾曲外側の面が第２面９７である。本体９２の幅方向１０１の長さは、搬送可能な記録用紙の最大幅より幅広であり、かつトレイ１６の幅と同程度である。本体９２における幅方向１０１の両端付近には、搬送向き１０４に沿った切欠き９８，９９が形成されている。この切欠き９８，９９は、本体９２の搬送向き１０４の上流端から搬送向き１０４に沿って形成されている。切欠き９８，９９の幅（幅方向１０１の幅）は、後述されるトレイ１６の突片１３１，１３２が挿通可能な幅である。なお、第１面９１には、搬送方向１０４に沿って延びる背の低いリブが形成されていてもよい。
【００８９】
本体９２の搬送向き１０４の下流端における幅方向１０１の両端には、軸９３，９４がそれぞれ幅方向１０１の外側へ突出されている。軸９３，９４は、軸線１０８上に配置されている。この軸９３，９４が、図示されていないフレームに軸支されて、本体９２が軸線１０８周りに回動可能であり、この回動によって本体９２が第１姿勢と第２姿勢とに姿勢変化する。なお、図には示されていないが、本対９２は、支持されているフレームなどに当接されることによって、その回動範囲が第１姿勢と第２姿勢との間に制限されている。また、各図には現れていないが、軸９３，９４周りにはネジリコイルバネがそれぞれ設けられており、このネジリコイルバネによって、本体９２は、第１姿勢側へ弾性付勢されている。このネジリコイルバネが、本発明における第１弾性部材に相当する。
【００９０】
本体９２の第２面９７における幅方向１０１の両端から湾曲外側へ向かって当接部９５，９６が膨出されている。当接部９５，９６は、湾曲外側へ向かって山形状の膨出されており、上下方向１０２に沿った面１１５，１１６がストッパ１１１，１１２と当接し得る。
【００９１】
ストッパ１１１，１１２は、当接部９５，９６に対応して幅方向１０１に離間して配置されている。このストッパ１１１，１１２が、本発明におけるロック部材に相当する。ストッパ１１１，１１２は、搬送向き１０４を中心として対称な形状であるので、以下、ストッパ１１１を例に詳細な構成が説明され、ストッパ１１２の詳細な構成の説明は省略される。
【００９２】
ストッパ１１１は、軸線１０８に沿った軸１１７と、軸１１７から相違する方向へそれぞれ延出された２つのアーム１１８，１１９と、を有する。軸１１７は、図示されていないフレームに軸支されて、アーム１１８，１１９が軸１１７周りに回動可能である。
【００９３】
アーム１１８は、軸１１７から本体９２の当接部９５へ向かって延出されており、その先端が当接部９５の面１１５及び第２面９７に当接している。この当接状態で、ストッパ１１１と本体９２とは係合した状態にあり、軸９３，９４周りに設けられたネジリコイルバネの付勢力に抗して、本体９２が第１姿勢に維持される。このように、ストッパ１１１が本体９２と係合する姿勢が、本明細書において第３姿勢と称される。また、本体９２が自在に姿勢変化可能となるように、ストッパ１１１のアーム１１８が当接部９５から離間された姿勢が、本明細書において第４姿勢と称される。
【００９４】
アーム１１９は、軸１１７から本体９２の切欠き９８へ向かって延出されており、その先端部分が切欠き９８を通じて第１面９１側から視て露出された状態にある。後述されるように、切欠き９８にトレイ１６の突片１３１，１３２が挿通されると、その突片１３１，１３２がアーム１１９に当接する。
【００９５】
なお、各図には現れていないが、軸１１７周りにはネジリコイルバネがそれぞれ設けられており、このネジリコイルバネによって、ストッパ１１１は、アーム１１８が本体９２と係合する方向へ、つまり第３姿勢側へ弾性付勢されている。ストッパ１１１を弾性付勢するネジリコイルバネの付勢力は、本体９２を弾性付勢するネジリコイルバネの付勢力より大きい。したがって、本体９２が第１姿勢から第２姿勢へ付勢するネジリコイルバネの付勢力に抗して、ストッパ１１１を付勢するネジリコイルバネの付勢力によって、ストッパ１１１が第３姿勢に維持される。このネジリコイルバネが、本発明における第２弾性部材に相当する。
【００９６】
ストッパ１１２の詳細な構成については説明が省略されるが、ストッパ１１１と同様に、軸線１０８に沿った軸１２０と、軸１２０から相違する方向へそれぞれ延出された２つのアーム１２１，１２２と、を有する。
【００９７】
前述されたように、本体９２の幅方向１０１の長さは、搬送可能な記録用紙の最大幅より幅広であり、本体９２の切欠き９８，９９及びストッパ１１１，１１２は、本体９２の第１面９１に案内されて湾曲部３２を搬送される記録用紙が通過する領域より幅方向１０１の外側に配置されている。したがって、湾曲部３２を搬送される記録用紙が、切欠き９８，９９及びストッパ１１１，１１２に当接することはない。
【００９８】
［記録用紙への画像記録］
前述されたように、フラップ９０は、本体９２にストッパ１１１，１１２が係合している限り、軸９３，９４周りに設けられたネジリコイルバネの付勢力に抗して、第１姿勢に維持される。記録用紙への画像記録においては、フラップ９０は、常時、第１姿勢に維持された状態にある。このときのプリンタ部１１における記録用紙への画像記録動作は、第１実施形態と同様であるので、詳細な説明が省略される。
【００９９】
［ＣＤ１７への画像記録］
第１実施形態と同様に、ＣＤ１７は、予めトレイ１６に載置される。図１５に示されるように、第４実施形態で用いられるトレイ１６には、その挿入方向の先端における幅方向１０１の両端付近に突片１３１，１３２が設けられている。この突片１３１，１３２は、フラップ９０の本体９２に形成された切欠き９８，９９に挿入可能な幅である。また、突片１３１，１３２の突出長さは、トレイ１６の先端が本体９２の第１面９１に接触することなく、切欠き９８，９９を通じてストッパ１１１，１１２のアーム１１９，１２２に当接可能な長さに設定されている。
【０１００】
画像記録開始の指令を受けると、図示されていないモータの回転を受けて搬送ローラ４１及び排紙ローラ４３が所定のタイミングで回転される。図１６（Ａ）に示されるように、第１搬送路２３の直線部２４に挿入されたトレイ１６は、排紙ローラ４３及び拍車４４に挟持されて、プラテン４７上へ搬送され、続いて搬送ローラ４１及びピンチローラに挟持されて装置正面側から背面側（図１６における左側）へ搬送される。つまり、搬送向き１０４と逆向きに搬送される。
【０１０１】
トレイ１６の先端（図１６における左端）が交差位置２６へ到達すると、トレイ１６の突片１３１，１３２が、本体９２の切欠き９８，９９に挿通されて、ストッパ１１１，１１２のアーム１１９，１２２に当接する。このとき、トレイ１６の先端は本体９２の第１面９１とは非接触である。さらに、トレイ１６が装置背面側へ搬送されると、トレイ１６の突片１３１，１３２によって、ネジリコイルバネの付勢に抗して、ストッパ１１１，１１２が第３姿勢から第４姿勢へ回動される。これにより、ストッパ１１１，１１２と本体９２との係合が解除される。そうすると、本体９２を付勢するネジリコイルバネの付勢力によって、第１姿勢の本体９２が第２姿勢に姿勢変化される。本体９２が第２姿勢となると、第１搬送路２３の直線部３３から第２搬送路２４へ続く直線経路から、本体９２が外れる。つまり、第２搬送路２４への経路が開放される。これにより、図１６（Ｂ）に示されるように、装置背面側へ搬送されるトレイ１６が交差位置２６から第２搬送路２４へ進入する。
【０１０２】
そして、トレイ１６に載置されたＣＤ１７の印刷領域の後端（図１６における右端）が、記録ヘッド４８の直下を通過すると、搬送ローラ４１及び排紙ローラ４３が停止されて逆転される。これにより、トレイ１６は、先端と後端とが逆転して、装置背面側から装置正面側（図１６における右側）へ搬送される。つまり、搬送向き１０４にトレイ１６が搬送される。トレイ１６に載置されたＣＤ１７が記録ヘッド４８の直下へ搬送されると、搬送ローラ４１が間欠して回転される。搬送ローラ４１が停止されている間に、キャリッジ４６が幅方向１０１へ往復移動され、その往復移動の間に記録ヘッド４８からトレイ１６上のＣＤ１７へインク滴が選択的に吐出される。このような搬送ローラ４１の間欠した回転とキャリッジの往復移動が繰り返されることによって、ＣＤ１７の所望の位置に所望の画像が記録される。画像記録が行われたＣＤ１７は、トレイ１６に載置された状態で、装置正面側へ排出される。
【０１０３】
トレイ１６が装置正面側へ排出されて突片１３１，１３２がストッパ１１１，１１２のアーム１１９，１２２から離れると、ネジリコイルバネに付勢されたストッパ１１１，１１２が第４姿勢から第３姿勢へ回動される。この付勢力は、本体９２に付与される付勢力より大きいので、本体９２は第２姿勢から第１姿勢に復帰する。
【０１０４】
前述されたような第４実施形態に係るフラップ９０が採用されても、第１実施形態と同様の作用効果が奏される。
【符号の説明】
【０１０５】
１１・・・プリンタ部（搬送装置、画像記録装置）
１６・・・トレイ
１７・・・ＣＤ（被記録部材）
２３・・・第１搬送路
２４・・・第２搬送路
２５・・・記録部
２６・・・交差位置
２７，６０，７０，９０・・・フラップ（ガイド部材）
３２・・・湾曲部
３３・・・直線部
５０，６２，７２，９２・・・本体
５１，６１，９１・・・第１面
５２，５３，６３，６４，７３，７４・・・アーム
５４，５５，６５，６６、８０，８１・・・当接部
５９・・・ローラ
７７，７８・・・突出片
８２，８３・・・当接部材
１１１，１１２・・・ストッパ（ロック部材）
【図１】
2010275092.tif 000003
【図２】
2010275092.tif 000004
【図３】
2010275092.tif 000005
【図４】
2010275092.tif 000006
【図５】
2010275092.tif 000007
【図６】
2010275092.tif 000008
【図７】
2010275092.tif 000009
【図８】
2010275092.tif 000010
【図９】
2010275092.tif 000011
【図１０】
2010275092.tif 000012
【図１１】
2010275092.tif 000013
【図１２】
2010275092.tif 000014
【図１３】
2010275092.tif 000015
【図１４】
2010275092.tif 000016
【図１５】
2010275092.tif 000017
【図１６】
2010275092.tif 000018